(57)【要約】【課題】携帯機器と端子接続する接続機器において、携帯機器に設ける開放位置を規制する規制部を利用して係合状態を保持する。【解決手段】データ通信、充電、燃料供給等のために携帯機器２１と端子接続する接続機器１であって、開閉自在で開放位置を規制する規制部２７を備えた携帯機器２１を収納し、携帯機器２１の形状に対応した凹部であって、その側方の一面が切り欠かれた開口３を有する収納部２と、この収納部２内に設けられ、収納部２に携帯機器２１を収納した状態で規制部２７に係合する係合部７と、を備える。係合部７は、規制部２７を押圧する押圧部材７ａを有し、この押圧部材７ａの背後に、押圧部材７ａの押し込み量を規制する規制部材７ｃが設けられている。【選択図】図１
2009246454.tif 000002
【特許請求の範囲】
【請求項１】
データ通信、充電、燃料供給等のために携帯機器と端子接続する接続機器であって、
開閉自在で開放位置を規制する規制部を備えた携帯機器を収納し、前記携帯機器の形状に対応した凹部であって、その側方の一面が切り欠かれた開口を有する収納部と、
この収納部内に設けられ、前記収納部に前記携帯機器を収納した状態で前記規制部に係合する係合部と、を備えることを特徴とする接続機器。
【請求項２】
前記係合部の下側に、前記規制部との係合を案内する円弧状部を形成したことを特徴とする請求項１に記載の接続機器。
【請求項３】
前記係合部は、前記規制部を押圧する押圧部材を有し、
この押圧部材の背後に、前記押圧部材の押し込み量を規制する規制部材を設けたことを特徴とする請求項１または２に記載の接続機器。
【請求項４】
前記開口位置に設けられ、前記収納部に前記携帯機器を収納した状態で前記規制部の端部に係合して、前記開口から前記携帯機器が抜けるのを防止する抜け防止部を備えることを特徴とする請求項１から３のいずれか一項に記載の接続機器。
【請求項５】
前記開口位置に設けられ、前記収納部に前記携帯機器を収納した状態で前記携帯機器の側面に当接する当接部を備えることを特徴とする請求項１から４のいずれか一項に記載の接続機器。
【請求項６】
前記収納部内で前記係合部と対向する位置に設けられ、前記収納部に前記携帯機器を収納した状態で前記携帯機器の開放面側に係止する係止部を備えることを特徴とする請求項１から５のいずれか一項に記載の接続機器。
【請求項７】
前記収納部内で前記係止部と同じ位置側に前記携帯機器を押圧する押圧部を備えることを特徴とする請求項１から６のいずれか一項に記載の接続機器。
【請求項８】
前記収納部の底面に、前記開口位置から奥に向かって前記携帯機器の下面を点接触しながら案内する案内部を備えることを特徴とする請求項１から７のいずれか一項に記載の接続機器。
【請求項９】
前記開口位置の底面の一部に、前記携帯機器の下面が露呈する露呈部を形成したことを特徴とする請求項１から８のいずれか一項に記載の接続機器。
【請求項１０】
外側面にコネクタを備えることを特徴とする請求項１から９のいずれか一項に記載の接続機器。
【請求項１１】
下面に滑り止めを備えることを特徴とする請求項１から１０のいずれか一項に記載の接続機器。
【請求項１２】
接続する端子として、前記携帯機器の電極と接続する充電端子を備えることを特徴とする請求項１から１１のいずれか一項に記載の接続機器。
【請求項１３】
前記端子を露出可能な可動の端子カバーを備えることを特徴とする請求項１２に記載の接続機器。
【発明の詳細な説明】
【技術分野】
【０００１】
本発明は、データ通信、充電、燃料供給等のために携帯機器と端子接続する接続機器に関する。
【背景技術】
【０００２】
携帯電話の端子と、充電台の充電端子とを電気的に接続させるものにおいて、充電台の係合部を携帯電話に設けられた凹溝に係合させることで、携帯電話が充電端子のばね復帰力によって上方へ浮き上がることを防止するようにした技術が、特許文献１に開示されている。
【特許文献１】特開２００６−３０３９９４号公報
【発明の開示】
【発明が解決しようとする課題】
【０００３】
しかし、特許文献１のものでは、充電台の係合部は携帯電話に設けた凹溝と係合させるように成形されているため、携帯電話には充電台に保持するためにだけの凹溝を設けなければならなかった。
【０００４】
本発明の課題は、携帯機器と端子接続する接続機器において、携帯機器に設ける開放位置を規制する規制部を利用して係合状態を保持することである。
【課題を解決するための手段】
【０００５】
以上の課題を解決するため、請求項１に記載の発明は、データ通信、充電、燃料供給等のために携帯機器と端子接続する接続機器であって、開閉自在で開放位置を規制する規制部を備えた携帯機器を収納し、前記携帯機器の形状に対応した凹部であって、その側方の一面が切り欠かれた開口を有する収納部と、この収納部内に設けられ、前記収納部に前記携帯機器を収納した状態で前記規制部に係合する係合部と、を備えることを特徴とする。
【０００６】
請求項２に記載の発明は、請求項１に記載の接続機器であって、前記係合部の下側に、前記規制部との係合を案内する円弧状部を形成したことを特徴とする。
【０００７】
請求項３に記載の発明は、請求項１または２に記載の接続機器であって、前記係合部は、前記規制部を押圧する押圧部材を有し、この押圧部材の背後に、前記押圧部材の押し込み量を規制する規制部材を設けたことを特徴とする。
【０００８】
請求項４に記載の発明は、請求項１から３のいずれか一項に記載の接続機器であって、前記開口位置に設けられ、前記収納部に前記携帯機器を収納した状態で前記規制部の端部に係合して、前記開口から前記携帯機器が抜けるのを防止する抜け防止部を備えることを特徴とする。
【０００９】
請求項５に記載の発明は、請求項１から４のいずれか一項に記載の接続機器であって、前記開口位置に設けられ、前記収納部に前記携帯機器を収納した状態で前記携帯機器の側面に当接する当接部を備えることを特徴とする。
【００１０】
請求項６に記載の発明は、請求項１から５のいずれか一項に記載の接続機器であって、前記収納部内で前記係合部と対向する位置に設けられ、前記収納部に前記携帯機器を収納した状態で前記携帯機器の開放面側に係止する係止部を備えることを特徴とする。
【００１１】
請求項７に記載の発明は、請求項１から６のいずれか一項に記載の接続機器であって、前記収納部内で前記係止部と同じ位置側に前記携帯機器を押圧する押圧部を備えることを特徴とする。
【００１２】
請求項８に記載の発明は、請求項１から７のいずれか一項に記載の接続機器であって、前記収納部の底面に、前記開口位置から奥に向かって前記携帯機器の下面を点接触しながら案内する案内部を備えることを特徴とする。
【００１３】
請求項９に記載の発明は、請求項１から８のいずれか一項に記載の接続機器であって、前記開口位置の底面の一部に、前記携帯機器の下面が露呈する露呈部を形成したことを特徴とする。
【００１４】
請求項１０に記載の発明は、請求項１から９のいずれか一項に記載の接続機器であって、外側面にコネクタを備えることを特徴とする。
【００１５】
請求項１１に記載の発明は、請求項１から１０のいずれか一項に記載の接続機器であって、下面に滑り止めを備えることを特徴とする。
【００１６】
請求項１２に記載の発明は、請求項１から１１のいずれか一項に記載の接続機器であって、接続する端子として、前記携帯機器の電極と接続する充電端子を備えることを特徴とする。
【００１７】
請求項１３に記載の発明は、請求項１２に記載の接続機器であって、前記端子を露出可能な可動の端子カバーを備えることを特徴とする。
【発明の効果】
【００１８】
本発明によれば、接続機器の係合部が携帯機器に設けた開放位置を規制する規制部に係合するため、携帯機器には接続機器に保持するために特別な成形をする必要が無く、開放位置を規制する規制部を兼用して携帯機器を接続機器に保持させることができる。
【発明を実施するための最良の形態】
【００１９】
以下、図を参照して本発明を実施するための最良の形態を詳細に説明する。
（実施形態）
図１は本発明を適用した接続機器及び携帯機器の一実施形態の構成としてクレードル１に携帯電話機２１をセットした状態を示したもので、図２はクレードル１に携帯電話機２１をセットする時の状態を示している。
【００２０】
クレードル１は、図３及び図４に示すように、携帯電話機２１の形状に対応した凹部による収納部２を有している。この収納部２は、三方が壁で囲まれて長辺部側方の一面が切り欠かれた開口３となっている。クレードル１には、開口３の底面の一端部側を取り除いた後退部４が形成されている。この後退部４の存在により、クレードル１に装着状態の携帯電話機２１の一部を露呈させ、その露呈する部分を上方に押すことで、携帯電話機２１を外せるようになっている。
【００２１】
さらに、収納部２には、端子５（図５参照）及びその端子カバー６、係合部７、抜け防止部８、浮き上がり防止部９、当接部１０、係止部１１、押圧部１２、案内部１３・１４、検出スイッチ１５等が設けられている。
そして、クレードル１には、その下面の四隅部にゴム等による滑り止め１６が設けられている。この滑り止め１６により、クレードル１を置いた状態において、滑って移動してしまうのを防止できる。また、クレードル１には、その長辺部外面に電源コネクタ１７及びＵＳＢ（Universal Serial Bus）コネクタ１８等が設けられている。電源コネクタ１７に電源コードを接続することで電源供給が行われ、ＵＳＢコネクタ１８にＵＳＢケーブルやＵＳＢメモリを接続することでデータ通信が行われる。
【００２２】
端子５は、図５に示すように、収納部２の開口３と対向する長辺部壁面から突出して複数本（図示例では五本）並んで設けられている。この端子５は、例えば両側の二本が充電端子で、その間の三本がＵＳＢ端子であり、対応する五本の端子露出用のスリットを有する可動の端子カバー６により不使用時は覆われている。この端子カバー６は、図示しないスプリングにより突出方向に付勢されている。端子カバー６により端子５が不使用時は覆われているので感電を防止でき、しかも、クレードル１への携帯電話機２１の装着時は、端子カバー６が後退して携帯電話機２１の電極に端子５を確実に接続できる。
【００２３】
係合部７は、収納部２の後退部４側の短辺部壁面に設けられている。この係合部７は、図３（ｃ）及び図５（ｃ）に示すように、収納部２の短辺部壁面の穴部に組み付けられた、弾性樹脂による突片状の押圧部材７ａにより形成されており、この突片状の押圧部材７ａの下面側が開口３側に立ち上がる円弧状部７ｂに形成されている。この円弧状部７ｂにより、携帯電話機２１の規制部２７の挿入時における押圧部材７ａの下面側が削られるのを回避できる。
また、押圧部材７ａの背後には、図４（ｄ）に示すように、収納部２の短辺部壁面内において、携帯電話機２１による押圧部材７ａの押し込み量を規制するリブ状の規制部材７ｃが設けられている。この規制部材７ｃの存在により、押圧部材７ａの押し込み量が規制されて、携帯電話機２１の規制部２７から押圧部材７ａを外れにくいものにできる。
【００２４】
抜け防止部８は、係合部７の手前側で、収納部２の後退部４に沿って短辺部壁面から内方に若干突出して設けられている。この抜け防止部８が、携帯電話機２１の規制部２７に対して前側に位置して、携帯電話機２１の手前側への抜けを防止できる。
【００２５】
浮き上がり防止部９は、端子５及び端子カバー６と同じ奥側で、収納部２の開口３と対向する長辺部壁面の上端部から内方に突出して設けられている。この浮き上がり防止部９が、携帯電話機２１の操作部筐体２３の奥側上面に重なって浮き上がりを防止できる。
【００２６】
当接部１０は、収納部２の開口３の後退部４側に近い部位において、手前側に立ち上がる円弧状に形成されている。この当接部１０が、操作部筐体２３の手前側側面に当接して、ガタツキを防止できる。
【００２７】
係止部１１は、収納部２の後退部４と反対側の短辺部壁面の奥側の上端部から内方に突出して設けられている。この係止部１１が、操作部筐体２３の上面に重なって、ガタツキを防止できる。
【００２８】
押圧部１２は、係止部１１の手前側で、収納部２の短辺部壁面に設けられている。この押圧部１２は、収納部２の短辺部壁面の穴部に組み付けられた、弾性樹脂による突起状の押圧部材により形成されている。この突起状の押圧部材による押圧部１２が、操作部筐体２３の小穴部に入ることで、ガタツキを防止できる。
【００２９】
案内部１３・１４は、収納部２の底面に形成されたリブ状のものである。図示例では、後退部４側の短辺部壁面と平行するリブ状の案内部１３と、後退部４と反対側の短辺部壁面と平行するリブ状の案内部１４となっている。以上の案内部１３・１４によって、携帯電話機２１の挿入が点接触によりスムーズに行える。
【００３０】
検出スイッチ１５は、収納部２の底面から突出する可動のものである。図示例では、開口２の後退部４側の近傍に検出スイッチ１５が設けられている。
【００３１】
また、携帯電話機２１は、図６及び図７に示すように、操作部２２を有する操作部筐体２３と表示部２４を有する表示部筐体２５とを二軸ヒンジ部２６を介して結合したものである。操作部筐体２３と表示部筐体２５は、二軸ヒンジ部２６により縦方向に開閉自在で横方向にも開閉自在となっている。
【００３２】
そして、操作部筐体２３の二軸ヒンジ部２６側の短辺部には、図７に示すように、表示部筐体２５を縦方向に開放した状態において、その表示部筐体２５の二軸ヒンジ部２６側の短辺部に当接してその開放角度位置を規制するストッパーとして機能するリブ状の規制部２７が一体に形成されている。
なお、操作部筐体２３には、二軸ヒンジ部２６側の長辺部側面に、図示しない充電用の電極が露出して設けられていて、二軸ヒンジ部２６と反対側の短辺部端面に、図示しない小穴部が形成されている。
【００３３】
以上の携帯電話機２１は、図２に示すように、折り畳み状態としてクレードル１の収納部２に対し若干手前上がりの姿勢でリブ状の案内部１３・１４に下面を当接させて挿入する。このとき、リブ状の案内部１３・１４に下面を点接触させながら携帯電話機２１の挿入がスムーズに行われる。そして、収納部２の係合部７に対して携帯電話機２１の規制部２７は、押圧部材７ａの開口３側に立ち上がる下面側の円弧状部７ｂにリブ状の規制部２７が案内されてスムーズに挿入される。従って、押圧部材７ａの下面側が挿入時に削られるようなことはない。
【００３４】
こうして図１に示すように、クレードル１に携帯電話機２１をセットした状態において、端子５の端子カバー６が操作部筐体２３の奥側側面で押されて、端子５が操作部筐体２３の奥側側面に露出した電極に接続状態となる。そして、係合部７の突片状の押圧部材７ａの下に規制部２７が重なるとともに、その規制部２７の手前に抜け防止部８が位置し、浮き上がり防止部９が操作部筐体２３の奥側上面に重なる。
【００３５】
また、手前側の当接部１０が操作部筐体２３の側面に当接し、係止部１１が操作部筐体２３の上面に重なり、押圧部（突起状の押圧部材）１２が操作部筐体２３の小穴部に入る。なお、クレードル１の電源コネクタ１７に図示しない電源コードを接続してＵＳＢコネクタ１８に図示しないＵＳＢケーブルやＵＳＢメモリを接続しておき、検出スイッチ１５が操作部筐体２３の下面で押し込まれて携帯電話機２１の装着状態が検出されることで、充電が開始されるとともに、ＵＳＢデータ通信が開始される。
【００３６】
以上において、クレードル１の収納部２の係合部７により、その突片状の押圧部材７ａが携帯電話機２１の規制部２７を上から押圧した状態において、収納部２の短辺部壁面内にリブ状の規制部材７ｃが設けられている。この規制部材７ｃにより押圧部材７ａの押し込み量が規制されるため、規制部２７から押圧部材７ａが外れにくいものとなっている。
【００３７】
そして、携帯電話機２１は、操作部筐体２３が係合部７、浮き上がり防止部９、係止部１１及び押圧部１２によりクレードル１に保持されているため、クレードル１にセットした状態のまま、表示部筐体２５を二軸ヒンジ部２６により縦方向に開閉したり横方向にも開閉したりできるものとなっている。
【００３８】
また、実施形態では、クレードル１の後退部４の上方に携帯電話機２１が位置しており、このため、後退部４は携帯電話機２１を露呈する露呈部としても機能している。従って、クレードル１から携帯電話機２１を外す際は、後退部４から露呈する部分を上方に押して携帯電話機２１を簡単に外すことができる。
【００３９】
以上、実施形態のクレードル１によれば、収納部２の係合部７が携帯電話機２１に設けた開放位置を規制する規制部２７に係合するため、携帯電話機２１にはクレードル１に保持するために特別な成形をする必要が無く、開放位置を規制する規制部２７を兼用して携帯電話機２１をクレードル１に保持させることができる。
【００４０】
（変形例）
なお、以上の実施形態においては、携帯電話機を保持するクレードルとしたが、本発明はこれに限定されるものではなく、電卓、デジタルカメラ、ビデオカメラ、ＰＤＡ、ノートパソコン、ウェアラブルパソコンなど、開閉する際に、その開放位置を規制する規制部を備えた携帯機器を保持するクレードルを含む全ての接続機器に用いることができる。
また、クレードル充電の他に、データ通信、燃料電池への燃料供給を行うものであっても良い。
さらに、係合部は単なるスライド溝であっても良い。
また、各部の形状等も任意であり、その他、具体的な細部構造等についても適宜に変更可能であることは勿論である。
【図面の簡単な説明】
【００４１】
【図１】本発明を適用した接続機器及び携帯機器の一実施形態の構成を示すもので、クレードルに携帯電話機をセットした状態を示した斜視図（ａ）、平面図（ｂ）、及びその矢印Ｃ−Ｃ線に沿って拡大した断面図（ｃ）である。
【図２】図１のクレードルに携帯電話機をセットする時の状態を示すもので、携帯電話機の下側から見た状態を示した斜視図（ａ）、携帯電話機の上側から見た状態を示した斜視図（ｂ）、及びその矢印Ｃ部の拡大図（ｃ）である。
【図３】図１のクレードルのみを示すもので、上側の一方向から見た状態を示した斜視図（ａ）、上側の他方向から見た状態を示した斜視図（ｂ）、及び図（ａ）の矢印Ｃ部の拡大図（ｃ）である。
【図４】図３のクレードルの平面図（ａ）、側面図（ｂ）、底面図（ｃ）、及び図（ａ）の矢印Ｄ部の拡大図（ｄ）である。
【図５】図３及び図４のクレードルの端子カバーを引っ込めた状態を示した斜視図（ａ）、平面図（ｂ）、その矢印Ｃ−Ｃ線に沿って拡大した断面図（ｃ）、及び図（ａ）の矢印Ｄ部の拡大図（ｄ）である。
【図６】図１の携帯電話機のみを示した斜視図（ａ）、及びその矢印Ｂ部の拡大図（ｂ）である。
【図７】図６の携帯電話機を開いた状態を示したもので、表示部及び操作部の裏側から見た平面図（ａ）、表示部及び操作部側から見た平面図（ｂ）、側面図（ｃ）、及びその矢印Ｄ部の拡大図（ｄ）である。
【符号の説明】
【００４２】
１  接続機器
２  収納部
３  開口
４  露呈部
５  端子
６  端子カバー
７  係合部
７ａ  押圧部材
７ｂ  円弧状部
７ｃ  規制部材
８  抜け防止部
９  浮き上がり防止部
１０  当接部
１１  係止部
１２  押圧部
１３・１４  案内部
１５  検出スイッチ
１６  滑り止め
１７  電源コネクタ
１８  ＵＳＢコネクタ
２１  携帯機器
２２  操作部
２３  操作部筐体
２４  表示部
２５  表示部筐体
２６  二軸ヒンジ部
２７  規制部
【図１】
2009246454.tif 000003
【図２】
2009246454.tif 000004
【図３】
2009246454.tif 000005
【図４】
2009246454.tif 000006
【図５】
2009246454.tif 000007
【図６】
2009246454.tif 000008
【図７】
2009246454.tif 000009